(57)【要約】      （修正有）【課題】設置・撤去・開閉自在で街の美観を損ねず、良好な環境を維持するのに貢献し得るごみ袋収納容器を提供する。【解決手段】本体８の骨格部がコの字型に形成された複数の支柱２（２Ａ，２Ｂ，２Ｃ，２Ｄ）からなり、支柱２の両端はそれぞれ扇状に開閉自在となるよう先端部２ａで一体型に連結され、最前部の支柱２Ｄが前方へ地面に接地するまで倒されたときに、最後部の支柱２Ａが最前部の支柱２Ｄとほぼ９０度の角度で直立し、残りの支柱２Ｂ，２Ｃは最前部と最後部の支柱２Ｄ，２Ａ間でほぼ均等な角度にて固定され全体で扇型の矩形空間を構成し、最前部と最後部の支柱２Ｄ，２Ａ間に該２本の支柱２Ｄ，２Ａをほぼ９０度の角度で維持し矩形空間を保つことができる筋交い３を設け、本体８を完全に被覆するように開閉自在のごみ袋投入口５を有する繊維網４を被せ、該繊維網４を支柱２に適宜箇所結束し一体とした構成を特徴とする。【選択図】図１
0003141657.tif 000002
【実用新案登録請求の範囲】
【請求項１】
本体骨格部がコの字型に形成された複数の支柱からなり、前記支柱の両端はそれぞれ扇状に開閉自在となるよう先端部で一体型に連結され、最前部の前記支柱が前方へ地面に接地するまで倒されたときに、最後部の支柱が前記最前部の支柱と９０度の角度で直立し、残りの支柱は前記最前部と前記最後部の支柱間でほぼ均等な角度にて固定され全体で扇型の矩形空間を構成し、前記最前部と前記最後部の支柱間に該２本の支柱を９０度の角度で維持し矩形空間を保つことができる筋交いを設け、前記本体を完全に被覆するように開閉自在のごみ袋投入口を有する繊維網を被せ、該繊維網を前記支柱に適宜箇所結束し一体としたことを特徴とするごみ袋収納容器
【請求項２】
前記筋交いがその中央部より支柱垂直上方向に折り畳み自在に形成され、該筋交いを支柱垂直上方向に折り畳むことによりすべての支柱がその先端連結部を中心に重なるように畳むことが可能であることを特徴とする請求項１に記載のごみ袋収納容器。
【請求項３】
本体骨格部がコの字型に形成された複数の支柱からなり、前記支柱の両端はそれぞれ扇状に開閉自在となるよう先端部で一体型に連結され、最前部の前記支柱が前方へ地面に接地するまで倒されたときに、最後部の支柱が前記最前部の支柱と９０度の角度で直立し、残りの支柱は前記最前部と前記最後部の支柱間でほぼ均等な角度にて固定され全体で扇型の矩形空間を構成し、前記本体を完全に被覆するように開閉自在のごみ袋投入口を有する繊維網を被せ、該繊維網を前記支柱に適宜箇所結束し一体とし、かつ前記隣接する各支柱の連結用ヒンジは前記各支柱ごとに設けられ、前記各支柱の連結用ヒンジの位置を異ならせたことを特徴とするごみ袋収納容器。
【請求項４】
本体骨格部がコの字型に形成された複数の支柱からなり、前記支柱の両端はそれぞれ扇状に開閉自在となるよう先端部で一体型に連結され、最前部の前記支柱が前方へ地面に接地するまで倒されたときに、最後部の支柱が前記最前部の支柱と９０度の角度で直立し、残りの支柱は前記最前部と前記最後部の支柱間でほぼ均等な角度にて固定され全体で扇型の矩形空間を構成し、前記本体を完全に被覆するように開閉自在のごみ袋投入口を有する繊維網を被せ、該繊維網を前記支柱に適宜箇所結束し一体とし、かつ前記隣接する各支柱の連結用ヒンジは前記各支柱ごとに設けられ、前記各支柱の連結用ヒンジの位置を異ならせ、前記最後部の支柱では平板状で直線形のブラケットが断面円形のパイプからなる前記支柱に差し込まれ、第２番目、第３番目及び前記最前部の支柱では平板状でＬ字形のブラケットが断面円形のパイプからなる支柱に差し込まれて夫々溶接により固着してなることを特徴とするごみ袋収納容器。
【請求項５】
本体骨格部がコの字型に形成された複数の支柱からなり、前記支柱の両端はそれぞれ扇状に開閉自在となるよう先端部で一体型に連結され、最前部の前記支柱が前方へ地面に接地するまで倒されたときに、最後部の支柱が前記最前部の支柱と９０度の角度で直立し、残りの支柱は前記最前部と前記最後部の支柱間でほぼ均等な角度にて固定され全体で扇型の矩形空間を構成し、前記本体を完全に被覆するように開閉自在のごみ袋投入口を有する繊維網を被せ、該繊維網を前記支柱に適宜箇所結束し一体とし、かつ前記隣接する各支柱の連結用ヒンジは前記各支柱ごとに設けられ、前記各支柱の連結用ヒンジの位置を異ならせ、前記最後部の支柱では平板状で直線形のブラケットが断面円形のパイプからなる前記支柱に差し込まれ、第２番目、第３番目及び前記最前部の支柱では平板状でＬ字形のブラケットが断面円形のパイプからなる支柱に差し込まれ、該差し込まれた長さだけ前記パイプを前記平板状のブラケットに合わせて平らに押しつぶして一体化させて夫々溶接により固着してなることを特徴とするごみ袋収納容器。
【請求項６】
前記最前部と前記最後部の支柱間に該２本の支柱を９０度の角度で維持し矩形空間を保つことができる筋交いを設けたことを特徴とする請求項３乃至５のいずれかに記載のごみ袋収納容器。
【考案の詳細な説明】
【考案の詳細な説明】
【技術分野】
【０００１】本考案は、ごみ袋収納容器に係り、特にごみ集積場を専用に設けることが困難な、集合住宅や一般住宅、また商店街や公園、イベント施設及び会場等において、路上や空き地、緑地帯又は広場等の一角を一時的なごみの集積場所として定めるような場合に好適なごみ袋収納容器であって、軽量なパイプ部材を骨組みとし、これを背面下側の両隅においてヒンジで束ね、開閉及び折り畳み自在に構成し、しかもヒンジ部分は、各パイプごとに回動中心が一定間隔で異なる位置となるように少しずつずらして構成することによって、パイプの開閉が極めて滑らかになるようにして使い勝手を向上させ、更に少くとも一側面に、容器の矩形空間を保つことができるようにするための筋交いを設け、路上等に安定して設置できるようにし、かつパイプ全体に繊維網を被せると共に、上面には大きなごみ袋投入口と、これを塞ぐための繊維網の先端に錘としてのパイプが取り付けられた投入口カバーを設け、投入口カバーを開き、ごみ袋を外部から投入して、投入口カバーを閉じれば、カラスや犬、猫等や風によって内部のごみ袋が荒らされないようにした、設置・撤去・開閉自在で街の美観を損ねず、良好な環境を維持するのに貢献し得るごみ袋収納容器に関する。
【背景技術】
【０００２】従来より、集合住宅や一般住宅地、商店街等で暫定のごみ集積指定場所でのカラス、野良猫等の被害から守るとされるネットは市販されていて、その大半が平面的な風呂敷タイプのネットで四方に重りの入っているもの、もしくは入っていないものである。重りは集められたごみ（袋）に被せられたネットが風や、鳥獣によつて容易に動かされないために設けられているものであるが、重りが重過ぎてネットの操作がしづらかったり、立体的なごみ袋にかけるために隙間が生じたりして目的を満たしていないのが現状である。【０００３】またブロックやモルタルでごみ集積所を施工できない場所や、プラスチックや金属製の固定型ごみ集積箱を常時設置したりすることのできないこれらの路上（歩道、一般道の脇、施設内通路）、空き地、緑地帯の簡易的なごみ集積場所では、出されたごみ袋の上に上記したようなネットを被せ、次にごみを出しに来た人がそのネットを持ち上げその下にごみ袋を置きネットをかけ直す、その繰り返しであるため、ごみ袋の数が増えるほどごみ袋がはみ出ないよう、また隙間ができないようにごみ袋の上にネットを被せる動作や、山積したごみ袋の上にネットを退かしてごみ袋を更に重ねるといった作業が大変にならざるを得なかった。【０００４】更には、傘を持つ雨の日などはもとより外出時にごみ袋を出そうとする場合、大抵は手荷物があるため片手での作業が好ましいが、従来品ではそれが難しい作業となるために、時には被せてあるネットの上にごみ袋を置いていくという行為が見受けられ、本来の目的すら果たせてない場合もある。【０００５】また常時に多数の、または大型のごみ箱を設置できない広場や施設、イベント会場等では、行楽シ−ズンやイベント時などには飲食後のごみを中心として大量にごみが出されることがあるが、ごみを収集するに当たっても定期的な収集ではないために、数日間置かれたままになってしまうこともある。飲食後のごみということで早朝よりカラスが飛来し、まとめて捨てたはずのごみが散乱し、町の美観を損ねることもしばしばであった。【０００６】またこの種の従来のごみ袋収納容器では、各支柱のヒンジを同一箇所に集中させて配置するのが常套手段であり、こうすると各支柱及び網等は、その開閉の際に互いに重なり合い、擦り合いながら開閉動作するため、各ヒンジ部における摩擦が大きく、滑らかに開閉することができないという欠点があった。【０００７】更には、この種の従来のごみ袋収納容器では、ヒンジ用の平板状のブラケットを断面円形のパイプに強固に固着する構造を開示したものはなく、平板状のブラケットとパイプとの接合強度が十分でないという欠点があった。【０００８】なお、本願考案者及び出願人は、本考案に対する特許文献及び非特許文献を知らないので、その記載を省略する。
【考案の開示】
【考案が解決しようとする課題】
【０００９】本考案は、上記した従来技術の欠点を除くためになされたものであって、その目的とするところは、本体骨格部がコの字型に形成された複数の支柱からなり、その支柱の両端はそれぞれ扇状に開閉自在となるよう先端部で一体型に連結され、最前部の支柱が前方へ地面に接地するまで倒されたときに、最後部の支柱が該支柱と９０度の角度で直立し、残りの支柱は該最前部と該最後部の支柱間でほぼ均等な角度にて固定され全体で扇型の矩形空間を構成し、該最前部と該最後部の支柱間に該２本の支柱を９０度の角度で維持し矩形空間を保つことができる筋交いを設け、該本体を完全に被覆するように開閉自在のごみ袋投入口を有する繊維網を被せ、該繊維網を前記支柱に適宜箇所結束し一体とすることによって、ごみ袋の収納作業を容易化し、ごみ袋が置き去りにされたり、ごみ袋収納容器の上に置かれたりするのを防止して、ごみ袋が整然と収納され、道路や公園、歩道等にごみ袋が散乱するのを防止することである。【００１０】また他の目的は、上記構成により収納されたごみ袋が外部から、カラスや犬、猫等の動物により食い荒らされたりしないようにして、ごみが道路等に散乱するのを防止し、街の環境を清潔にかつ美しく保つことができるようにすることである。【００１１】更に他の目的は、簡単に折り畳んで持ち運びできるようにすることであり、またこれによって任意の位置に気軽に搬送して設置できるようにし、設置後は筋交いの作用により本体がしっかりと「開状態」に保たれ、利用者によるごみ袋の収納作業や行政等によるごみ袋の撤去作業が軽快に行われ、かつ周辺に存在するフェンス等にしっかりと固定して設置できるようにして風や通行人のいたずら等によって本体が不本意に移動しないようにすることである。【００１２】また他の目的は、上記構成に加えて前記筋交いがその中央部より支柱垂直上方向に折り畳み自在に形成され、該筋交いを支柱垂直上方向に折り畳むことによりすべての支柱がその先端連結部を中心に重なるように畳むことが可能とすることによって、ごみ袋収納容器の使用終了時の撤去作業を容易化することであり、またこれによってごみ袋収納容器の他の場所への移動又は保管が簡単にできるようにすることである。【００１３】また他の目的は、上記構成に加えて前記隣接する各支柱の連結用ヒンジは前記各支柱ごとに設けられ、前記各支柱の連結用ヒンジの位置を異ならせることによって、各支柱のヒンジが１箇所に集中するのを避け、ごみ袋収納容器を開く際及び畳む際に各支柱が互いに擦れ合う摩擦及び繊維網等が互いに擦れ合う摩擦を極力小さくすることであり、またこれによってごみ袋収納容器の開閉作業を軽い力で行うことができるようにして使用性を大幅に向上させることである。【００１４】更に他の目的は、上記構成に加えて最後部の支柱では平板状で直線形のブラケットが断面円形のパイプからなる前記支柱に差し込まれ、第２番目、第３番目及び前記最前部の支柱では平板状でＬ字形のブラケットが断面円形のパイプからなる支柱に差し込まれて夫々溶接により固着されることによって、各支柱のヒンジ部の強度を大きくすることであり、またこれによって使用現場において激しい使われ方をしてもヒンジ部が壊れることなく、長期間安心して使用できる耐久性能を確保すると共に、直線形やＬ字形のブラケットを用いることでヒンジの位置を異ならせるのを容易にし、ごみ袋収納容器の開閉作業の円滑化を確実に達成することである。【００１５】また他の目的は、上記構成に加えて最後部の支柱では平板状で直線形のブラケットが断面円形のパイプからなる前記支柱に差し込まれ、第２番目、第３番目及び前記最前部の支柱では平板状でＬ字形のブラケットが断面円形のパイプからなる支柱に差し込まれ、該差し込まれた長さだけ前記パイプを前記平板状のブラケットに合わせて平らに押しつぶして一体化させて夫々溶接により固着されることによって、各支柱とブラケットとの接合強度を更に増大させることであり、またこれによってごみ袋収納容器のヒンジ部の強度をより十分なものとし、使用現場においてより激しい使われ方をしても十分に耐えることができるようにし、ごみ袋収納容器の信頼性を極めて高いものとすることである。
【課題を解決するための手段】
【００１６】要するに本考案（請求項１）は、本体骨格部がコの字型に形成された複数の支柱からなり、前記支柱の両端はそれぞれ扇状に開閉自在となるよう先端部で一体型に連結され、最前部の前記支柱が前方へ地面に接地するまで倒されたときに、最後部の支柱が前記最前部の支柱と９０度の角度で直立し、残りの支柱は前記最前部と前記最後部の支柱間でほぼ均等な角度にて固定され全体で扇型の矩形空間を構成し、前記最前部と前記最後部の支柱間に該２本の支柱を９０度の角度で維持し矩形空間を保つことができる筋交いを設け、前記本体を完全に被覆するように開閉自在のごみ袋投入口を有する繊維網を被せ、該繊維網を前記支柱に適宜箇所結束し一体としたことを特徴とするものである。【００１７】また本考案（請求項２）は、請求項１に記載の考案において、前記筋交いがその中央部より支柱垂直上方向に折り畳み自在に形成され、該筋交いを支柱垂直上方向に折り畳むことによりすべての支柱がその先端連結部を中心に重なるように畳むことが可能であることを特徴とするものである。【００１８】また本考案（請求項３）は、本体骨格部がコの字型に形成された複数の支柱からなり、前記支柱の両端はそれぞれ扇状に開閉自在となるよう先端部で一体型に連結され、最前部の前記支柱が前方へ地面に接地するまで倒されたときに、最後部の支柱が前記最前部の支柱と９０度の角度で直立し、残りの支柱は前記最前部と前記最後部の支柱間でほぼ均等な角度にて固定され全体で扇型の矩形空間を構成し、前記本体を完全に被覆するように開閉自在のごみ袋投入口を有する繊維網を被せ、該繊維網を前記支柱に適宜箇所結束し一体とし、かつ前記隣接する各支柱の連結用ヒンジは前記各支柱ごとに設けられ、前記各支柱の連結用ヒンジの位置を異ならせたことを特徴とするものである。【００１９】また本考案（請求項４）は、本体骨格部がコの字型に形成された複数の支柱からなり、前記支柱の両端はそれぞれ扇状に開閉自在となるよう先端部で一体型に連結され、最前部の前記支柱が前方へ地面に接地するまで倒されたときに、最後部の支柱が前記最前部の支柱と９０度の角度で直立し、残りの支柱は前記最前部と前記最後部の支柱間でほぼ均等な角度にて固定され全体で扇型の矩形空間を構成し、前記本体を完全に被覆するように開閉自在のごみ袋投入口を有する繊維網を被せ、該繊維網を前記支柱に適宜箇所結束し一体とし、かつ前記隣接する各支柱の連結用ヒンジは前記各支柱ごとに設けられ、前記各支柱の連結用ヒンジの位置を異ならせ、前記最後部の支柱では平板状で直線形のブラケットが断面円形のパイプからなる前記支柱に差し込まれ、第２番目、第３番目及び前記最前部の支柱では平板状でＬ字形のブラケットが断面円形のパイプからなる支柱に差し込まれて夫々溶接により固着してなることを特徴とするものである。【００２０】また本考案（請求項５）は、本体骨格部がコの字型に形成された複数の支柱からなり、前記支柱の両端はそれぞれ扇状に開閉自在となるよう先端部で一体型に連結され、最前部の前記支柱が前方へ地面に接地するまで倒されたときに、最後部の支柱が前記最前部の支柱と９０度の角度で直立し、残りの支柱は前記最前部と前記最後部の支柱間でほぼ均等な角度にて固定され全体で扇型の矩形空間を構成し、前記本体を完全に被覆するように開閉自在のごみ袋投入口を有する繊維網を被せ、該繊維網を前記支柱に適宜箇所結束し一体とし、かつ前記隣接する各支柱の連結用ヒンジは前記各支柱ごとに設けられ、前記各支柱の連結用ヒンジの位置を異ならせ、前記最後部の支柱では平板状で直線形のブラケットが断面円形のパイプからなる前記支柱に差し込まれ、第２番目、第３番目及び前記最前部の支柱では平板状でＬ字形のブラケットが断面円形のパイプからなる支柱に差し込まれ、該差し込まれた長さだけ前記パイプを前記平板状のブラケットに合わせて平らに押しつぶして一体化させて夫々溶接により固着してなることを特徴とするものである。【００２１】また本考案（請求項６）は、請求項３乃至請求項５に記載の考案において、前記最前部と前記最後部の支柱間に該２本の支柱を９０度の角度で維持し矩形空間を保つことができる筋交いを設けたことを特徴とするものである。
【考案の効果】
【００２２】本考案は、上記のように本体骨格部がコの字型に形成された複数の支柱からなり、その支柱の両端はそれぞれ扇状に開閉自在となるよう先端部で一体型に連結され、最前部の支柱が前方へ地面に接地するまで倒されたときに、最後部の支柱が該支柱と９０度の角度で直立し、残りの支柱は該最前部と該最後部の支柱間でほぼ均等な角度にて固定され全体で扇型の矩形空間を構成し、該最前部と該最後部の支柱間に該２本の支柱を９０度の角度で維持し矩形空間を保つことができる筋交いを設け、該本体を完全に被覆するように開閉自在のごみ袋投入口を有する繊維網を被せ、該繊維網を前記支柱に適宜箇所結束し一体としたので、ごみ袋の収納作業を容易化し得、ごみ袋が置き去りにされたり、ごみ袋収納容器の上に置かれたりするのを防止でき、ごみ袋が整然と収納され、道路や公園、歩道等にごみ袋が散乱するのを防止できる効果がある。【００２３】また上記構成により収納されたごみ袋が外部から、カラスや犬、猫等の動物により食い荒らされたりしないようにできるため、ごみが道路等に散乱するのを防止し得、街の環境を清潔にかつ美しく保つことができるという効果がある。【００２４】更には、簡単に折り畳んで持ち運びできるという効果があり、またこの結果任意の位置に気軽に搬送して設置でき、設置後は筋交いの作用により本体がしっかりと「開状態」に保たれ、利用者によるごみ袋の収納作業や行政等によるごみ袋の撤去作業が軽快に行われ、かつ周辺に存在するフェンス等にしっかりと固定して設置できるため、風や通行人のいたずら等によって本体が不本意に移動しないという効果がある。【００２５】また上記構成に加えて前記筋交いがその中央部より支柱垂直上方向に折り畳み自在に形成され、該筋交いを支柱垂直上方向に折り畳むことによりすべての支柱がその先端連結部を中心に重なるように畳むことが可能としたので、ごみ袋収納容器の使用終了時の撤去作業を容易化することができ、またこの結果ごみ袋収納容器の他の場所への移動又は保管が簡単にできるという効果がある。【００２６】また上記構成に加えて前記隣接する各支柱の連結用ヒンジは前記各支柱ごとに設けられ、前記各支柱の連結用ヒンジの位置を異ならせたので、各支柱のヒンジが１箇所に集中するのを避けることができ、ごみ袋収納容器を開く際及び畳む際に各支柱が互いに擦れ合う摩擦及び繊維網等が互いに擦れ合う摩擦を極力小さくすることができ、またこの結果ごみ袋収納容器の開閉作業を軽い力で行うことができる効果があり、使用性を大幅に向上させることができる効果がある。【００２７】更には、上記構成に加えて最後部の支柱では平板状で直線形のブラケットが断面円形のパイプからなる前記支柱に差し込まれ、第２番目、第３番目及び前記最前部の支柱では平板状でＬ字形のブラケットが断面円形のパイプからなる支柱に差し込まれて夫々溶接により固着されるようにしたので、各支柱のヒンジ部の強度を大きくすることができ、またこの結果使用現場において激しい使われ方をしてもヒンジ部が壊れることなく、長期間安心して使用できる耐久性能を確保できると共に、直線形やＬ字形のブラケットを用いたことでヒンジの位置を異ならせるのを容易化でき、ごみ袋収納容器の開閉作業の円滑化を確実に達成することができる効果がある。【００２８】また上記構成に加えて最後部の支柱では平板状で直線形のブラケットが断面円形のパイプからなる前記支柱に差し込まれ、第２番目、第３番目及び前記最前部の支柱では平板状でＬ字形のブラケットが断面円形のパイプからなる支柱に差し込まれ、該差し込まれた長さだけ前記パイプを前記平板状のブラケットに合わせて平らに押しつぶして一体化させて夫々溶接により固着されるようにしたので、各支柱とブラケットとの接合強度を更に増大させることができ、またこの結果ごみ袋収納容器のヒンジ部の強度をより十分なものとし得、使用現場においてより激しい使われ方をしても十分に耐えることができる効果があり、ごみ袋収納容器の信頼性を極めて高いものとすることができる効果が得られる。
【考案を実施するための最良の形態】
【００２９】以下本考案を図面に示す実施例に基づいて説明する。図１において、本考案に係るごみ袋収納容器１は、コの字形の支柱２（最後部の支柱２Ａ，第２番目の支柱２Ｂ，第３番目の支柱２Ｃ，最前部の支柱２Ｄ）、筋交い３、鳥獣対策ネットである繊維網４、ごみ袋投入口５及び投入口カバ−６を備えており、筋交い３を伸ばしたり折り畳んだりすることで９０度扇型の本体８の骨格部９をなす各支柱２（２Ａ，２Ｂ，２Ｃ，２Ｄ）がヒンジ部１０（左側のヒンジ部１０Ｌ、右側のヒンジ部１０Ｒ）を中心に開閉、折り畳み自在に構成されている。【００３０】そしてごみ袋収納容器１は、図１及び図１８に示すように、本体８の骨格部９がコの字型に形成された複数の支柱２（２Ａ，２Ｂ，２Ｃ，２Ｄ）からなり、支柱２の両端はそれぞれ扇状に開閉自在となるよう先端部２ａで一体型に連結され、最前部の支柱２Ｄが前方へ地面に接地するまで倒されたときに、最後部の支柱２Ａが最前部の支柱２Ｄと９０度の角度で直立し、残りの支柱２Ｂ，２Ｃは最前部と前記最後部の支柱２Ｄ，２Ａ間でほぼ均等な角度にて固定され、全体で扇型の矩形空間を構成し、最前部と最後部の支柱２Ｄ，２Ａ間に該２本の支柱２Ｄ，２Ａを９０度の角度で維持し矩形空間を保つことができる筋交い３を設け、本体８を完全に被覆するように開閉自在のごみ袋投入口５を有する繊維網４を被せ、該繊維網４を支柱２に適宜箇所結束し一体としたものである。
なお、本願実用新案登録請求の範囲及び明細書において「９０度の角度」と記載しているのは、厳密な意味での９０度を指すのではなく、ごみ袋収納容器１の使用状態において、支柱２Ａと支柱２Ｄとのなす角度がほぼ９０度であればよいということであり、９０度±５度程度の範囲まで又は部品の製作誤差、組立・設置誤差等を考慮して大体９０度と言える範囲までを含むと解釈すべきである。【００３１】支柱２は、例えば金属製の直径１３ｍｍφのパイプを使用して軽量化を図っており、コの字形の角部２ｂは、半径８０ｍｍ程度の円弧状（８０Ｒ）に形成され、本体８の大きさは、一例として全副１３００ｍｍ、全高８００ｍｍ、奥行き６００ｍｍに設定されている。【００３２】図１及び図１９において、ごみ袋投入口５は、最後部の支柱２Ａと第２番目の支柱２Ｂとの間に設けられ、その左端は左縁部５ａであり、右端は右縁部５ｂである。即ち、左縁部５ａ、右縁部５ｂ、支柱２Ａ、支柱２Ｂで囲まれた部分がごみ袋投入口５であり、相当広い面積を確保しているので、図１９に示すように、ごみ袋１１の投入が容易なように構成されている。【００３３】図１、図１７及び図１９において、ごみ袋投入口５の投入口カバー６は、繊維網４と同じものであり、その周囲の縁部６ａはほつれ処理がなされ、その基端部６ｂは最後部の支柱２Ａに固定されており、その幅はごみ袋収納容器１の本体８の幅とほぼ同一に設定され、前後方向の長さは、図１及び図１７に示すように、ごみ袋投入口５を塞いだときにその前端部６ｃが第３番目の支柱２Ｃの少し上まで来るような長さに設定され、袋状に縫製された前端部６ｃには、投入口カバー６の重さを増し、風や動物等による投入口カバー６の不本意な開放を阻止するための錘と開閉の補助を兼ねた金属製又は合成樹脂製のパイプ１２が挿入されている。【００３４】図１及び図１９において、支柱２Ａの上部中央には本体８の各支柱２を折り畳んだ際に各支柱２を結束するためのベルト７の一端が固定され、ベルト７は繊維網４の内側下方に垂下させてある。そして面ファスナ（図示せず）等を用いて各支柱２の折り畳み状態を束ねて保持し、ごみ袋収納容器１の搬送や保管が容易にできるようになっている。【００３５】筋交い３は、図１、図６及び図７において、上部体３ａと下部体３ｂとからなり、上部体３ａは最後部の支柱２Ａにヒンジ１３により枢着され、下部体３ｂは最前部の支柱２Ｄにヒンジ１４により枢着され、上部体３ａと下部体３ｂとはヒンジ１５により互いに回動自在に連結されており、支柱２Ａと支柱２Ｄとがほぼ直角に開いたごみ袋収納容器１の使用状態では、上部体３ａと下部体３ｂとが、下に凸のくの字のほぼ一直線状となり、支柱２Ａと支柱２Ｄとがほぼ９０度隔てた角度位置に保たれるようにその接近を阻止するようになっている。【００３６】そして筋交い３がその中央部（ヒンジ１５）より支柱垂直上方向に折り畳み自在に形成され、該筋交い３を支柱垂直上方向に折り畳むことによりすべての支柱２がその先端連結部（ヒンジ部１０）を中心に重なるように畳むことが可能に構成されている。【００３７】次に、図１から図１５及び図１８から図１９において、本考案の最大の特徴をなすヒンジ部１０について詳細に説明する。��接する各支柱２の連結用ヒンジ２０（２０Ａ，２０Ｂ，２０Ｃ）は各支柱２Ａ，２Ｂ，２Ｃごとに設けられ、該各支柱の連結用ヒンジ２０Ａ，２０Ｂ，２０Ｃの位置を異ならせ、最後部の支柱２Ａでは平板状で直線形のブラケット２１の少し細幅に形成された部分（図示せず）が断面円形のパイプからなる支柱２Ａに差し込まれ、第２番目、第３番目及び最前部の支柱２Ｂ，２Ｃ，２Ｄでは平板状でＬ字形のブラケット２２，２３，２４の少し細幅に形成された部分（図示せず）が断面円形のパイプからなる支柱２Ｂ、２Ｃ、２Ｄに差し込まれて夫々溶接により固着されている。【００３８】ここで重要なことは、該差し込まれた長さ（例えば３０ｍｍ）だけ支柱２を構成するパイプを平板状のブラケット２１，２２，２３，２４に合わせて平らに押しつぶして平坦部２ｃを形成して一体化させて夫々溶接により固着してなるのが、本考案の最大の特徴であり、これによって各ブラケットは隙間なく非常に強固に各支柱２に溶接により固着されている。
そしてブラケット２２はヒンジ２０Ａによりブラケット２１に連結され、ブラケット２３はヒンジ２０Ｂによりブラケット２２に連結され、ブラケット２４はヒンジ２０Ｃによりブラケット２３に夫々連結されている。【００３９】図１３において、ヒンジ２０は、図示の実施例ではスペーサ１６を介してリベット１８で軽くかしめてなるリベット結合を採用しているが、これはボルトとダブルナット（図示せず）の結合でもよく、実用上は後者、即ちボルトとダブルナットの結合が好適である。【００４０】図２から図５（図３は背面図であるため、図２の正面図とは左右が逆に図示してある。）及び図９から図１２並びに図１４から図１５に示すように、正面から見て左側のヒンジ部１０Ｌと、右側のヒンジ部１０Ｒでは、各ブラケット２１，２２，２３，２４の重なり具合は全く同一であり、ブラケット２１，２２，２３，２４の順で重ねられ、この結果各支柱２Ａ，２Ｂ，２Ｃ，２Ｄの重なり具合は、前から見て右側から支柱２Ａ，２Ｂ，２Ｃ，２Ｄの順で重ねられ、この順で左側に少しずつ位置がずれるようになっている。【００４１】このようにして、各ヒンジ部１０Ｌ，１０Ｒが構成されているため、図１４及び図１５に示すように、ブラケット２２及び支柱２Ｂはブラケット２１上で回動し、ブラケット２３及び支柱２Ｃはブラケット２２上で回動し、ブラケット２４及び支柱２Ｄはブラケット２３上で回動するように、非常に特異な構成となっている。【００４２】本考案は、上記のように構成されており、以下その作用について説明する。る。まず本考案に係るごみ袋収納容器１の使用状態について説明すると、図１、図６、図７、図１８及び図１９に示すように、閉じられていた本体８の骨格部９は、支柱２Ｄを支柱２Ａに対して回動させることにより、支柱２Ａが直立し、支柱２Ｄは水平状態になるまで回動して水平状態に保たれ、支柱２Ｂ，２Ｃはその中間の開き角度まで開かれて、繊維網４の張力によりその位置で静止状態となる。【００４３】ここで図１、図６及び図７に示すように、筋交い３のヒンジ１５を上から押して、やや下に凸のくの字のほぼ直線状態にすることにより、上部体３ａと下部体３ｂとが突っ張り合ってそれ以上下に凸に曲がることができないので、支柱２Ａと支柱２Ｄとはもはや相対運動が不可能となり、互いにほぼ９０度隔たった角度位置に固定され、本体８の骨格部９は、図１、図６、図７及び図１８に示す開いた状態となり、繊維網４を伴った実際の使用状態は、図１、図６、図７及び図１９に示すような設置完了状態となる。【００４４】この本体８の骨格部９の開き作業において、図１４及び図１５に示すように、各支柱２Ｂ，２Ｃ，２Ｄは支柱２Ａに対して相対運動をして開いて行くのであるが、ブラケット２１が直線状なのに比べてブラケット２２，２３，２４がＬ字形に形成されており、そのヒンジ２０Ａ，２０Ｂ，２０Ｃの位置が異ならせてあるため、支柱２Ｂが開くと、ブラケット２２の回動によって、ヒンジ２０Ｂ及び支柱２Ｂは支柱２Ａから離れて行き、同様に支柱２Ｃはブラケット２３の回動により支柱２Ｂから離れて行き、支柱２Ｄはブラケット２４の回動により支柱２Ｃから離れて行く。この結果、支柱２０同士の摩擦がほとんどなく、各支柱２に留められた繊維網４の絡み合いも軽々とほぐれ、非常に小さな力でごみ袋収納容器１を開くことができる。
なお、このことはごみ袋収納容器１を使用状態から格納状態に閉じるときも全く同様で、非常に小さな力でごみ袋収納容器１を閉じることができる。【００４５】図１、図６、図７及び図１９に示すように、ごみ袋収納容器１がこのように設置完了状態となったら、例えば道路においては、支柱２Ａが沿道住宅のフェンス等（図示せず）に接して配置されるため、支柱２Ａをフェンス等に適宜なひも等でくくり付けて固定する。これによってごみ袋収納容器１は風や通行人によるいたずら等によって動かされることなく、しっかりと道路に設置される。【００４６】図１９において、使用者がごみ袋収納容器１を使用してごみ袋１１をごみ袋収納容器１内に収納するには、使用者は投入口カバー６のパイプ１２をつかんで矢印Ｘの如く、投入口カバー６を上方に持ち上げて開き、これによって投入口５が全開状態となり、ごみ袋収納容器１の上側に大きく開口するため、かなり大きなごみ袋１１でも矢印Ｙの如く楽々と収納することができる。【００４７】ごみ袋１１を収納したら、投入口カバー６を閉め、図１、図６及び図７に示す状態にもどす。これによって、ごみ袋１１は本体８の骨格部９と繊維網４により閉ざされた空間に収納されるため、カラスや犬、猫等の動物によりごみ袋１１を荒らされることがなく、ごみ袋１１はきれいに保たれ、整然とごみ袋収納容器１内に保管され、行政等のごみ収集までごみが道路等に散乱することがなく、収納状態に維持される。
これによって、ごみ袋１１に対する鳥獣被害を防止することができ、道路、公園、広場等のごみ袋１１が集積される場所が常にきれいに保たれ、街の美観を回復させることができる。【００４８】ごみ袋収納容器１を使用状態から収納するには、図１、図６及び図７において、まず筋交い３の中央のヒンジ１５を上に軽く押し上げ、筋交い３を上に凸のくの字に曲げ、支柱２Ｄを持って支柱２Ａに対して接近する方向に回動させればよい。これによって簡単にごみ袋収納容器１を折り畳むことができ、ベルト７を使用して適宜支柱２を束ねれば収納は完了となる。そして手軽に持ち運びすることができる。なお、全体質量は非常に軽量であるため、女性でも軽々と持ち運ぶことができる。
【図面の簡単な説明】
【００４９】
【図１】図面は本考案の実施例に係り、図１はごみ袋収納容器の設置状態を示す斜視図である。
【図２】ごみ袋収納容器の正面図である。
【図３】ごみ袋収納容器の背面図である。
【図４】ごみ袋収納容器の平面図である。
【図５】ごみ袋収納容器の底面図である。
【図６】ごみ袋収納容器の左側面図である。
【図７】ごみ袋収納容器の右側面図である。
【図８】図２のＡ−Ａ’部分拡大図である。
【図９】繊維網を省略した図２のＡ−Ａ’部分拡大図である。
【図１０】繊維網を省略した図３のＢ−Ｂ’部分拡大図である。
【図１１】繊維網を省略した図４のＣ−Ｃ’部分拡大図である。
【図１２】繊維網を省略した図５のＤ−Ｄ’部分拡大図である。
【図１３】図１２のＨ−Ｈ’拡大端面図である。
【図１４】繊維網を省略した図６のＥ−Ｅ’部分拡大図である。
【図１５】繊維網を省略した図７のＦ−Ｆ’部分拡大図である。
【図１６】図７のＧ−Ｇ’部分拡大図である。
【図１７】図２のＩ−Ｉ矢視拡大端面図である。
【図１８】本体の骨格部の斜視図である。
【図１９】投入口カバーを開いてごみ袋を投入している状態を示すごみ袋収納容器の斜視図である。
【符号の説明】
【００５０】  １    ごみ袋収納容器
２    支柱
２ａ  先端部
２ｂ  角部
２ｃ  平坦部
２Ａ  最後部の支柱
２Ｂ  第２番目の支柱
２Ｃ  第３番目の支柱
２Ｄ  最前部の支柱
３    筋交い
３ａ  上部体
３ｂ  下部体
４    繊維網
５    ごみ袋投入口
５ａ  左縁部
５ｂ  右縁部
６    投入口カバー
７    ベルト
８    本体
９    骨格部
１０    ヒンジ部
１０Ｌ  左側のヒンジ部
１０Ｒ  右側のヒンジ部
１１    ごみ袋
１２    パイプ
１３    ヒンジ
１４    ヒンジ
１５    ヒンジ
１６    スペーサ
１８    リベット
２０    ヒンジ
２０Ａ  ヒンジ
２０Ｂ  ヒンジ
２０Ｃ  ヒンジ
２１    ブラケット
２２    ブラケット
２３    ブラケット
２４    ブラケット
Ｘ    矢印
Ｙ    矢印
【図１】
0003141657.tif 000003
【図２】
0003141657.tif 000004
【図３】
0003141657.tif 000005
【図４】
0003141657.tif 000006
【図５】
0003141657.tif 000007
【図６】
0003141657.tif 000008
【図７】
0003141657.tif 000009
【図８】
0003141657.tif 000010
【図９】
0003141657.tif 000011
【図１０】
0003141657.tif 000012
【図１１】
0003141657.tif 000013
【図１２】
0003141657.tif 000014
【図１３】
0003141657.tif 000015
【図１４】
0003141657.tif 000016
【図１５】
0003141657.tif 000017
【図１６】
0003141657.tif 000018
【図１７】
0003141657.tif 000019
【図１８】
0003141657.tif 000020
【図１９】
0003141657.tif 000021